Podtech/llm-jp-corpus-v4-ja_patent huggingface dataset:
(57)【要約】      （修正有）【課題】磯、テトラポット、波止釣り等、たえず釣るポイントを移動しながらの釣りの場合、身のこなしは出来るだけ身軽でなければならない。又、魚のあたりの瞬間を見逃すことなく対応でき、魚釣りの醍醐味を味わうことができれば、釣り人にとって、この上もない至福のときである。その為に、釣り竿は出来る限り釣り人の手中の近いところで負担もなく保持する。【解決手段】軽量な竿受けを釣り人の腰に携帯することで、手で保持するのと同じ感覚で釣りを楽しむことができ、長時間の釣りにおける間合いの手への負担がなくなり且つ、腰への負担も少なくて済む。又、竿の置き場所を心配する必要もなくなり、無理な体勢での、釣れた魚の取り外し、餌付け、仕掛け等の交換等がなくなり、スムーズな作業ができる。更に、万が一の転倒時の危険防止にも役立つものである。【選択図】図１
0003119814.tif 000002
【実用新案登録請求の範囲】
【請求項１】
ステンレス製素材の金属棒を曲げることで、形成させたフレームに釣り竿受部を設け、これを釣り人の腰ベルトに装着させることにより、釣り竿を釣り人の腰部側面で保持させることを目的とする。
【考案の詳細な説明】
【技術分野】
【０００１】  本考案は磯つり、テトラポット、波止釣り等たえずポイントを移動しながらの釣りに適し、釣り竿保持の負担をなくし、咄嗟の必要に対応するための魚釣り携帯具に関する。
【背景技術】
【０００２】  従来の釣り竿固定具は、石や岸壁の上に設置する形式のものであり、設置場所を選ぶ必要があり、足場面積が狭く設置できない岩場等では、釣りを断念せざるを得ないこともあった。
【考案の開示】
【考案が解決しようとする課題】
【０００３】  この考案は従来の釣り竿固定具にみられる不安要素をなくして、釣り竿の保持が手軽にでき、使用方法も簡単であり、且つ軽量で、移動も楽な保持具を提供しようとするものである。
【課題を解決するための手段】
【０００４】  上記目的を達成するために、本考案は、ステンレス製素材の金属棒を曲げることで形成させたフレームを、釣り人の腰ベルトに装着することにより、釣り竿を保持させ、解決しようとするものである。
【考案の効果】
【０００５】  この考案は以上記述したように、ステンレス素材の金属棒を使用することにより、大変軽量で釣り人の腰への負担がなく、又、腰ベルトに装着することで間合いの手での保持がなくなるので、手が疲れない。又、釣り場の移動も大変楽になり、より釣りを楽しむことができるものである。【０００６】  釣り竿を常に身につけ、手の届く範囲にあることで、魚のあたりの瞬間を見逃すことがなく、魚の取り外し、餌付け、仕掛けの交換時等にも、釣り竿の置く場所を考える必要がないことで、糸のもつれもなくなり、安全且つスムーズな作業ができ、又、釣り竿を汚したり、傷つけることもなくなるので、釣り竿を大切に扱うことができるものである。【０００７】又、釣り人の間合いの両手が空くことで、足場の悪い岩場や、悪天候時等の万が一のアクシデントを回避できるものである。
【考案を実施するための最良の形態】
【０００８】  本考案の実施の形態を図１に示し説明する。ここで、図１は、本実施の形態における腰ベルト装着釣り竿受の構成を示す斜視図である。【０００９】  図１において、例えば１ｂは、釣り人の腰ベルトに装着するための、本体１ａ支持部である。この支持部は本体フレームを曲げることにより形成されている。
また、４は釣り竿を置くための受け皿となる部分でここも本体フレームを曲げることにより、竿受け部を形成されている。なお、フレームの素材はステンレス製金属棒を用いる。【００１０】  フレームの開閉は２の支点となる部分にプラスチック管をはめ込み、３ｃ部分をスライドさせて使用時の竿受け部１ｃの２点を固定させる。【００１１】  ４の竿受け部には滑り止めゴムチューブをはめ込み竿の滑り、及び脱落を防止する。
【実施例１】
【００１２】  海辺では突風が起こることも多いが、常に釣り竿は手中の範囲にあるため、風対策にも即、対応できるものである。
【実施例２】
【００１３】  腰ベルトへの脱着が非常に簡単であり、又、付属フレームの３ａをスライドさせることで折りたたむことができ、コンパクトな収納が容易にできるものである。
【産業上の利用の可能性】
【００１４】  この考案はレジャーの魚釣り作業用のものである。釣り竿を釣り人の腰に携帯することで釣り竿が常に手の届く範囲にあるため、釣り竿の保護にもなる保持具に関するものである。
【図面の簡単な説明】
【００１６】  ステンレス金属棒（直径２ｍｍ）を加工した本体フレーム（１ａ）の（１ｂ）部を腰ベルト装着部とし、（１ｃ）の部分で釣り竿を支持させる。この部分にはゴムチューブをはめ込む。
フレームが交差した部分（２）はプラスチック管で束ね、スライド式付属フレーム（３ａ）の開閉時の支点となる。収納時は、（３ｂ）を支点に（３ｃ）を上部にスライドさせることにより折りたたみ、（１ｃ）を互いに交差させることで折りたたんだ状態を維持させる。【図１】  「  本考案の斜視図である。  」
【図２】  「  本考案の折りたたみ時斜視図である。」
【図３】  「  本考案の正面実寸図である」
【符号の説明】
【００１３】  〔図１〕
１ａ      本体フレーム
１ｂ      腰ベルト装着部
１ｃ      竿受部
２        本体フレーム固定部
３ａ      スライド式付属フレーム
３ｂ      付属フレーム固定部
３ｃ      付属フレームスライド部及び固定部
４        ゴムチューブ
【図１】
0003119814.tif 000003
【図２】
0003119814.tif 000004
【図３】
0003119814.tif 000005
【手続補正書】
【提出日】平成16年12月9日(2004.12.9)
【手続補正１】
【補正対象書類名】実用新案登録請求の範囲
【補正対象項目名】全文
【補正方法】変更
【補正の内容】
【実用新案登録請求の範囲】
【請求項１】
適長な棒状部材を曲げ加工し、組み合わせることで形成される本体に、釣竿の保持機能を持たせた釣竿保持具である。
【請求項２】
請求項１記載の棒状部材には摩擦係数の多い部材をはめ込むことを特徴とする釣竿保持具である。
【請求項３】
請求項１又は２記載の保持具は組み合わされた棒状部材をスライドさせることで折りたたむことができる簡便折りたたみ式釣竿保持具である。
(57)【要約】【課題】  脊髄を矯正し身体を柔軟にするための健康用整体具を提供する。【解決手段】  脊髄を矯正するための上半身を脊髄矯正背面板付本体に設けた太腿支え傾斜板と座骨受窪みに、座骨部と下半身部をしっかり支えられるように太腿支え傾斜板位置を固定して上半身が真直ぐになるようにし、脊髄背当てマットを利用して脊髄を後頭がわに十分反るようにしたことを特徴とする脊髄矯正反り整体具である。【選択図】    図  １
0003119817.tif 000002
【実用新案登録請求の範囲】
【請求項１】
脊髄矯正背面板付本体に蝶番金具を設け、太腿支え傾斜板を設け、脊髄矯正背面板付本体に設けた複数の太腿支え傾斜板角度孔の位置に止め金具により太腿支え傾斜板を太腿支え傾斜板角度孔の位置に固定するように設け、脊髄背当てマットと太腿支え傾斜板の体系をあわせる事が出来るように設け、保温マットを設けた座骨受窪みに腰を固定できるように設け、さらに掴持孔と左手支付き肘掛と右手支付き肘掛設け、上半身を左右に整体しやすくした事を特徴とする脊髄矯正反り整体具。
【請求項２】
脊髄矯正背面板付本体にを備えた内側傾斜板支え角度孔を設け、角度のついた傾斜板裏面部に設けた足位置印しを利用してアキレス腱をのばすことができる事を特徴とする整体具。
【考案の詳細な説明】
【技術分野】
【０００１】  本考案は、脊髄を矯正するための上半身を脊髄矯正背面板付本体に設けた太腿支え傾斜板と座骨受窪みに、座骨部と下半身部をしっかり支えられるように太腿支え傾斜板位置を固定して上半身が真直ぐになるようにし、脊髄背当てマットを利用して脊髄を後頭がわに十分反るようにした脊髄矯正反り整体具に関するものである。
【背景技術】
【０００２】  従来、自然運動動作により、背骨を伸ばしたりすることはあった。また電気機械マッサージによる脊髄伸ばしなども利用することはあった。
【考案の開示】
【考案が解決しようとする課題】
【０００３】  前述の欠点を解決しようとするものである。
自然運動動作では、一時的動作であるため脊髄矯正まではいかなかった。また電気機械マッサージによる背筋伸ばしはあるが、精密な電気仕掛けの構造な為、価格が高く簡易に購入することは出来ないまた、さまざまな働きを持った機械の為、脊髄矯正専用ではない。本考案は以上の問題点を解決する為になされてものである。
【課題を解決するための手段】
【０００４】  脊髄を矯正するための上半身を脊髄矯正背面板付本体に設けた太腿支え傾斜板と座骨受窪みに、座骨部と下半身部をしっかり支えられるように太腿支え傾斜板位置を固定して上半身が真直ぐになるようにし、脊髄背当てマットを利用して脊髄を後頭がわに十分反るようにした脊髄矯正反り整体具である。
【考案の効果】
【０００５】  上半身を脊髄矯正背面板付本体に設けた太腿支え傾斜板と座骨受窪みに、座骨部と下半身部をしっかり支えられるように太腿支え傾斜板位置を固定して上半身が真直ぐになるため、また脊髄背当てマットを利用するために、背骨は痛くなる事無く、柔軟に動作をする事が出来る。従って脊髄を後頭がわに十分反り返る動作を数回することにより、脊髄が矯正されて効果的な結果を得る事が出来る。
【考案を実施するための最良の形態】
【０００６】  以下本考案の実施の形態について説明する。
（イ）脊髄矯正背面板付本体（１）に蝶番金具（１５）（１５）を設け、太腿支え傾斜板（２）を設け、脊髄矯正背面板付本体（１）に設けた複数の太腿支え傾斜板角度孔（１２）（１２）の位置に止め金具（１０）（１０）により太腿支え傾斜板（２）を太腿支え傾斜板角度孔（１２）（１２）の位置に固定するように設ける。
（ロ）脊髄背当てマット（３）と太腿支え傾斜板（２）の体系をあわせる事が出来るように設け、保温マット（９）を設けた座骨受窪み（６）に腰を固定できるように設ける。
本考案は、以上の構造でこれを使用するときは、脊髄矯正背面板付本体（１）に設けた座骨受窪み（６）に腰を下ろし、太腿支え傾斜板（２）を自分の体系に合わせて、太腿支え傾斜板角度孔（１２）（１２）の位置に固定するように止め金具（１０）（１０）により固定することにより、脊髄背当てマット（３）と太腿支え傾斜板（２）との位置で、上半身は真直ぐになり、脊髄背当てマット（３）を利用して脊髄を後頭がわに十分反り返る動作を数回することにより脊髄が矯正されて効果的な結果を得る脊髄矯正を行う。
（ハ）掴持孔（７）（８）と左手支付き肘掛（４）と右手支付き肘掛（５）設ける。
本考案を、使用するとき、上半身を左右交互うに身体をひねるように、上半身を回すときに、左手支付き肘掛（４）と右手支付き肘掛（５）それぞれに設けてある、手支えに片手をあてて身体をひねる。また上半身がさらにほごれてきたときは、掴持孔（７）（８）を用いてさらなる効果を引出す事が出来、上半身が柔軟になる。
（二）内側傾斜板支え角度孔（１３）（１３）に止め金具（１０）（１０）で傾斜板裏面部（１４）を固定するように設ける。
本考案を、使用するときは、傾斜板裏面部（１４）に設けた足位置印し（１６）（１６）に足のつま先部をのせて、手は左手支付き肘掛（４）と右手支付き肘掛（５）にあてて、半腰の状態で、ゆっくりとした動作をもってアキレス腱を伸ばす。脹ら脛にも伝わり足の血液循環効果を行う。
【図面の簡単な説明】
【００７】
【図１】  本考案の斜視図
【図２】  本考案の別使用状態を示す斜視図
【図３】  本考案の使用状態を示す斜視図
【符号の説明】
【００８】  １  脊髄矯正背面板付本体
２  太腿支え傾斜板
３  脊髄背当てマット
４  左手支付き肘掛
５  右手支付き肘掛
６  座骨受窪み
７  掴持孔
８  掴持孔
９  保温マット
１０  止め金具
１１  止め金具
１２  太腿支え傾斜板角度孔
１３  内側傾斜板支え角度孔
１４  傾斜板裏面部
１５  蝶番金具
１６  足位置印し
１７  人
１８  脊髄部
【図１】
0003119817.tif 000003
【図２】
0003119817.tif 000004
【図３】
0003119817.tif 000005
【手続補正書】
【提出日】平成17年8月4日(2005.8.4)
【手続補正１】
【補正対象書類名】実用新案登録請求の範囲
【補正対象項目名】請求項２
【補正方法】削除
【補正の内容】
【手続補正書】
【提出日】平成17年10月4日(2005.10.4)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
脊髄矯正背面板付本体に蝶番金具を設け、太腿支え傾斜板を設け、脊髄矯正背面板付本体に設けた複数の太腿支え傾斜板角度孔の位置に止め金具により太腿支え傾斜板を太腿支え傾斜板角度孔の位置に固定するように設け、脊髄背当てマットと太腿支え傾斜板の体系をあわせる事が出来るように設け、保温マットを設けた座骨受窪みに腰を固定できるように設け、さらに掴持孔と左手支付き肘掛と右手支付き肘掛設け、上半身を左右に整体しやすくした事を特徴とする脊髄矯正反り整体具。
(57)【要約】      （修正有）【課題】ガ−ゼ布を脇の下に密着かつ固定させ、その部分の汗とりに効果を発揮させるとともに体臭も防止させる汗とり防臭バンドの提供。【解決手段】長さ１２０ｃｍ、幅３ｃｍほどのゴムバンドを二つ折にし、その中心を縫合などして固定する。  そしてこれを首の後部から通し、８の字形の輪の中に左右の腕を入れて使用する。ゴムバンドを脇の下にはさんだガ−ゼ布が密着かつ固定するのでズレやすき間が生じなくて効果的であり、衣類への汗ジミなども気にすることなく使用できる。【選択図】図３
0003119823.tif 000002
【実用新案登録請求の範囲】
【請求項１】
８の字形の当該ゴムバンドを首の後部から通して、それぞれの輪の中に腕を入れ、その脇の下の部分にはさんだガ−ゼ布を密着かつ固定させることを特徴とする脇の汗とりと防臭のためのゴムバンド。
【考案の詳細な説明】
【技術分野】
【０００１】  本考案は、８の字形にした脇の汗とりを防臭のためのゴムバンドに関するものである。
【背景技術】
【０００２】  従来の脇の下にかいた汗を吸収させる製品は、吸湿性パットを衣類に貼りつける方法によって行われていた。
【特許文献１】  特開２０００−６０８９１号  公報
【考案の開示】
【考案が解決しようとする課題】
【０００３】  従来の衣類に貼りつける方法の製品では、脇の下と衣類との間にすき間とズレが生じ、その結果対応を施したにもかかわらず、脇の下の汗の不快感と衣類への汗ジミの付着は解消されていなかった。【０００４】  本考案は従来の製品が有していた問題を解決しようとするものであり、脇の下の汗と匂いを効果的に吸収させ、快適な防汗・防臭を現実することを目的とするものである。
【課題を解決するための手段】
【０００５】  本考案は、８の字形のゴムバンドを使用し、その伸縮性によって脇の下と当該ゴムバンドとの間にはさむガ−ゼ布が密着かつ固定されるようにする。
これにより衣類との間に生じていたすき間は問題でなくなり、脇の下の位置からガ−ゼ布がずれることも防止される。
【考案の効果】
【０００６】  上述の様に、当該ゴムバンドによって衣類側ではなく、人体側に密着かつ固定させることによって汗の吸収率を格段に高めることがだきる。  また衣類への汗ジミも同様の理由によって効果的に防ぐことができる。【０００７】  当該ゴムバンドと脇の下にはさむガ−ゼ布は洗濯もしくは使い捨てが可能で極めて衛生的である。【０００８】  特開２０００−６０８９１号公報の製品――たすき式脇の下動脈熱降下用品――と異なり、８の字形のゴムバンドの止め部は首の後部に位置し、これにより男性が使用しても女性用下着を着用しているように間違われることがない。
また当該ゴムバンドの使用目的はあくまでもサニタリ−的な使用を目的とし、上記製品のように医療的な使用を目的としていない。
【考案を実施するための最良の形態】
【０００９】  各個人の体格に合わせたゴムバンドを真中でふたつに折り、真中の部分だけを縫合することなどによって固定する。その結果、８の字形になり、それを首の後部から通してそれぞれの腕を入れ、脇の下に固定かつ密着させる。
【実施例】
【００１０】  以下、添付図面に従って――実施例を説明する。
幅３ｃｍ、長さ１２０ｃｍ（各自の体格によって異なる）のゴムバンドを真中で固定する。
Ａはその中心位置である。  ＢとＣは固定を補強するため縫合部である。ＤとＥは左右の腕を通すための空間である【００１１】  Ａ・Ｂ・Ｃの部分を首の後部に当て、ＤとＥの空間に腕を通し、脇の下で固定する。【００１２】  本考案の一実施例は上述の如き構成からなるものであるから、８の字形のゴムバンドを首の後部から通して、それぞれの輪の中に腕を入れ、脇の下で固定するだけで脱着は極めて容易である。
【図面の簡単な説明】
【００１３】
【図１】    本考案の８の字形脇の汗とりと防臭バンドの――実施例を示す正面図である。
【図２】    図１を上部から見た図である。
【図３】    使用中の人物の正面図である。
【図４】    使用中の人物の背面図である。
【符号の説明】
【００１４】  Ａ  中心線の縫合部
Ｂ  補強部の縫合部
Ｃ  補強部の縫合部
Ｄ  腕を通す空間
Ｅ  腕を通す空間
▲１▼  当該８の字形脇の汗とりと防臭バンド
▲２▼  ガ−ゼ布
【図１】
0003119823.tif 000003
【図２】
0003119823.tif 000004
【図３】
0003119823.tif 000005
【図４】
0003119823.tif 000006
【手続補正書】
【提出日】平成17年9月20日(2005.9.20)
【手続補正１】
【補正対象書類名】実用新案登録請求の範囲
【補正対象項目名】全文
【補正方法】変更
【補正の内容】
【実用新案登録請求の範囲】
【請求項１】
各個人それぞれの体格にあわせた１本のゴムバンド（長さ６０ｃｍ〜１４０ｃｍ・幅２ｃｍ〜７ｃｍ）の両端を縫合などの方法によってその中心で固定し、その結果左右対称の８の字型の形状を有するゴムバンド。
(57)【要約】【課題】  灯油ポンプを使用した後，ポンプの吸入具および吐出具の中の残油が身体・衣服に付着するなどの不都合を解消する。【解決手段】  吸入具１および吐出具の中の残油が受け具３に落下し，それによってこの課題を解決する。【選択図】  図２
0003119826.tif 000002
【実用新案登録請求の範囲】
【請求項１】
灯油ポンプを使用後の残油を受ける器具とそれを灯油ポンプに取り付けるための器具および両器具の間の蛇腹式カバーを備えた灯油ポンプ残油受け具。
【考案の詳細な説明】
【技術分野】
【０００１】本考案は，灯油ポンプ（手動式および電池式）に使用する残油の受け具に関するものである。
【背景技術】
【０００２】従来の灯油ポンプでは，残油の油滴が落下しそれを布・ティッシュペーパーなどで拭き取る方法を用いていた。
【考案の開示】
【考案が解決しようとする課題】
【０００３】従来の方法では，残油が身体・衣服に付着し不衛生である。
【課題を解決するための手段】
【０００４】そこで，灯油ポンプの下部に取り付け残油を受ける器具によって，従来の課題を解決しようとした。
【考案の効果】
【０００５】本考案にかかる受け具によって，灯油ポンプを使用した後の残油の処理に難渋することなく，また，身体・衣服を清潔に保つことができる。
【考案を実施するための最良の形態】
【０００６】イ．本考案にかかる物品（以下，「物品」とする）は，受け具３を回転用ストッパー９を基軸として使用する。物品の上部と受け具との間は，蛇腹式カバー５によって連結し，カバーの伸縮は自在である（図３）。物品の上部は，スプリング式の止め金６によって灯油灯油ポンプに取り付ける（図４）。
ロ．物品を図２に示す形態にすれば，灯油ポンプの吸入具１および吐出具２に残った残油を受け具に落下させることができる。
ハ．受け具に滞留した残油は，取り外し用ネジ４を操作し，収納できる（図８〜１１）。
ニ．蛇腹式カバーのストッパー７と受け具の回転時ストッパー１０によって，物品を安定的に使用できる。
【図面の簡単な説明】
【０００７】
【図１】  本考案にかかる物品を取り付けた灯油ポンプを用いる時の状態を示した側面図である。
【図２】  残油を受け具に落下させるため，蛇腹式カバーを引き伸ばした時の側面の断面図てある。
【図３】  本考案にかかる物品を灯油ポンプから取り外し蛇腹式カバーを引き伸ばした時の側面図である。
【図４】  止め金の平面図である。
【図５】  蛇腹式カバーの底面図である。
【図６】  受け具の平面図である。
【図７】  受け具の平面図である。
【図８】  蛇腹式カバー底部と受け具との接合状態を示した側面図である。
【図９】  受け具の側面図である。
【図１０】  受け具と蛇腹を止める回転式ストッパー
【図１１】  受け具の平面図である。
【符号の説明】
【０００８】ｐ  灯油かん
１  灯油ポンプの吸入具
２  灯油ポンプの吐出具
３  残油受け具
４  取り外し用ネジ
５  蛇腹式カバー
６  スプリング式止め金
７  回転時用ストッパー
８  吐出具の収納部
９  蛇腹式カバーと受け具の接合金具
１０  受け具の下部を取り外した時の側面図
【図１】
0003119826.tif 000003
【図２】
0003119826.tif 000004
【図３】
0003119826.tif 000005
【図４】
0003119826.tif 000006
【図５】
0003119826.tif 000007
【図６】
0003119826.tif 000008
【図７】
0003119826.tif 000009
【図８】
0003119826.tif 000010
【図９】
0003119826.tif 000011
【図１０】
0003119826.tif 000012
【図１１】
0003119826.tif 000013
(57)【要約】      （修正有）【課題】従来の画板は、下敷きの機能が主であり、イ−ゼルの上に立て掛けて使用しているが、イ−ゼルの傾斜角度が一定で垂直に近い状態では、画板の上に置いている画用紙に水彩絵具で着色すると絵具が流れ、鉛筆等の描画道具で描く場合も、描きずらいという難点があった。そこで、画板本体とカメラの三脚を着脱できるようにすることによって、画板本体の傾斜角度が前後に自在に、また左右に回転が自在にすること。【解決手段】画板本体１の裏側中央部に、ナット装着板２を取り付け、カメラの三脚１２と着脱できるようにすることによって、画板本体１の傾斜角度が前後に自在になる。また、画板本体１が左右に回転が自在になるようにした。【選択図】図１
0003119824.tif 000002
【実用新案登録請求の範囲】
【請求項１】
画板本体１の裏側中央部にナット装着板２を取り付け、その上にナット固定板３の中心にボルト穴をあけたものを取り付け、ナット４を固定する。
【請求項２】
スケッチブック受け巾木７を設けその側面に磁石５を装着する。
【請求項３】
容器入れ穴８を設ける。
【考案の詳細な説明】
【技術分野】
【０００１】本考案は、従来、画板はイ−ゼルの上に立て掛けて使用していたため、イ−ゼルの傾斜角度が一定で、しかも、垂直に近い状態では鉛筆等の描画道具や水彩絵具での作業には不向きであるという問題点があった。それを解決するため画板の裏側中央部分にナット装着板を取り付け、カメラの三脚と着脱できるようにしたものである。
【背景技術】
【０００２】従来は、カメラの三脚と着脱できる画板がなかった。
【考案の開示】
【考案が解決しようとする課題】
【０００３】従来の画板は、下敷きの役目としての機能しかなく市販のイ−ゼルの上に立て掛けて使用するが、イ−ゼルの傾斜角度が一定で垂直に近い状態では、画板の上に置いている画用紙に水彩絵具で着色すると絵具が流れ、鉛筆等の描画道具で描く場合も、描きづらいと言う難点があった。本考案は、この課題を解消するために成されたものである。
【課題を解決するための手段】
【０００４】画板本体１の裏側中央部に、ナット装着板２を取り付け、カメラの三脚１２と着脱できるようにすることによって、画板本体１の傾斜角度が前後に自在になる。
また、画板本体１が左右に回転が自在になるようにした。【０００５】スケッチブック受け巾木７の側面に磁石５を装着することによって、また画板本体１に容器入れ穴８を設け、筆洗器や描画道具を着脱できるようにした。【０００６】画板本体１の右端と下端にスケッチブック受け巾木７を設けボルト９で着脱できるようにボルト取り付け穴６を設け、スケッチブック受け巾木７が画板本体１の左右上下に移動できるようにした。
【考案の効果】
【０００７】画板本体１をカメラの三脚１２と着脱できることによって、画板本体１の傾斜角度が前後に自在になる。また、左右に回転が自在になるようにしたため、水彩絵具を着色しても絵具が画面の下に流れなくなり、また、鉛筆等の描画道具で描く場合、手作業の動作が容易になった。【０００８】スケッチブック受け巾木７の側面に磁石５を装着することによって、また画板本体１に容器入れ穴８を設け、筆洗器や描画道具を着脱できるようにしたため無駄な動作をする必要がなくなった。【０００９】画板本体１の右端と下端にスケッチブック受け巾木７を設けボルト９で着脱できるようにボルト取り付け穴６を設け、スケッチブック受け巾木７が画板本体１の左右上下に移動できるようにしたため、左利き、右利き兼用に使用できる。
以下、本考案の実施の形態について説明する。
（イ）ナット装着板２に六角形のナット穴をあけ、四分の一インチのナットをその中に取り付ける。その上にナット固定板３の中心に四分の一インチのボルトが入る穴をあけ、ナット装着板２の上に取り付け、ナット４を固定する。
（ロ）画板本体１の裏側中央部分にナット装着板２を装着する。
（ハ）スケッチブック受け巾木７に磁石５を装着する。
（ニ）画板本体１の左右上下に〔図１〕のようにボルト取り付け穴６を設ける。
（ホ）画板本体１に容器入れ穴８を設ける。
【実施例】
【００１０】画板本体１の裏側ナット４にカメラの三脚取り付けボルト１１を着脱し、携帯イ−ゼルとして屋外写生や、人物のクロッキ−の制作に使用する。
【図面の簡単な説明】
【００１１】〔図１〕
画板本体１の裏側部とナット装着板２、ナット固定板３、を示した平面図である。
〔図２〕
画板本体１とナット装着板２、ナット固定板３、スケッチブック受け巾木７を取り付けた側面図である。
〔図３〕
画板本体１の表側部を示した平面図である。
〔図４〕
画板本体１とカメラの三脚１２を取り付けた詳細図である。
【符号の説明】
【００１２】    １  画板本体
２  ナット装着板
３  ナット固定板
４  ナット
５  磁石
６  ボルト取り付け穴
７  スケッチブック受け巾木
８  容器入れ穴
９  ボルト
１０  スケッチブック
１１  三脚取り付けボルト
１２  カメラの三脚
１３  前後の角度調整レバ−
１４  左右の回転調整ボルト
【図１】
0003119824.tif 000003
【図２】
0003119824.tif 000004
【図３】
0003119824.tif 000005
【図４】
0003119824.tif 000006
【手続補正書】
【提出日】平成17年11月22日(2005.11.22)
【手続補正１】
【補正対象書類名】実用新案登録請求の範囲
【補正対象項目名】全文
【補正方法】変更
【補正の内容】
【実用新案登録請求の範囲】
【請求項１】
画板本体１の裏側中央部にナット装着板２を取り付け、中心にナット４が固定されたナット固定板３を前記ナット装着板２に装着して成ることを特徴とする画板。
【請求項２】
前記画板本体１の側面にスケッチブック受け巾木を設け、このスケッチブック受け巾木の側面に磁石５を装着した請求項１に記載の画板。
【請求項３】
前記画板本体１に容器入れ穴８を設けた請求項１に記載の画板。
【手続補正２】
【補正対象書類名】明細書
【補正対象項目名】０００４
【補正方法】変更
【補正の内容】
【０００４】請求項１記載の考案は、画板本体１の裏側中央部にナット装着板２を取り付け、中心にナット４が固定されたナット固定板３を前記ナット装着板２に装着することにより、ナット３を介してカメラの三脚１２と着脱できる。これにより、画板本体１の傾斜角度が前後に自由になる。
また、画板本体１について、左右の回転が自在になるようにした。
(57)【要約】      （修正有）【課題】対面した客に数字を見せることができ、歪んだ卓上に置いてもがたがせず安定して使用できる２画面型３本足電卓の提供。【解決手段】電卓に、向い合わせに液晶画面を２枚装備することで対面した相手に数字を見せることができる。また見せたく無い場合は、反対側の画面をスイッチ２でＯＦＦにするか、目隠しプレート５を装着する。そして歪んだ卓上に置いてもがたがたしないためには、足ゴムを３本４にする。【選択図】図１
0003119822.tif 000002
【実用新案登録請求の範囲】
【請求項１】
普通の電卓に液晶画面を対面に２つ装備して（図１）、対面した相手に計算過程と数字が見えるようにする。
また数字を見せたくない場合は２画面側のＯＦＦスイッチ（２）や目隠しプレートで見えなくする（５）。
【請求項２】
歪んだ机に置いた時でも、がたがたせず、安定するように足ゴムは３本にする。（図２）
以上のことを特徴とした、２画面型３本足電卓。
【考案の詳細な説明】
【技術分野】
【０００１】本考案は液晶画面が２つ装備し、また机に置いたときに安定するように、あえて３本足にした、電卓に関する物である。
【技術背景】
【０００２】郵便局や小売店や賃貸不動産など対面して料金計算をするさいに、合計金額を客に見せる時、電卓を１８０度回転させていた。また客も計算過程が見えず不安を感じていた。そして机上の微妙な歪みでは、電卓はがたがたして、使用中に不快に感じる。
【考案の開示】
【考案が解決しようとする課題】
【０００３】対面した相手に数字が見えるようにする。また歪んだ卓上に置いてもがたがたしないように、安定させること。
【課題を解決するための手段】
【０００４】本考案は、通常の電卓に、向い合せに液晶画面を２枚装備する。対面した相手に数字を見せたくない場合は、反対側の画面をスイッチ（２）でＯＦＦにするが、目隠しプレート（５）を装着する。そして歪んだ卓上に置いてもがたがたしないためには、足ゴムを３本にすることで解決している。
【考案の効果】
【０００５】上述の様に、本考案の２画面型３本足電卓は画面が２つ装備してるので、対面した客に数字が見えるので、１８０度回さなくてすみ、また安心感も与える。そして歪んだ卓上に置いてもがたがたしなくなった。
【考案の実施する最良の形態】
【０００６】通常の電卓に、２枚の液晶画面を対面に装備して、足ゴムを３本にする（４）。また反対側の画面は、スイッチでＯＦＦするが、目隠しプレートで見えなくすることも可能である。
【実施例】
【０００７】郵便局や小売店や賃貸不動産など対面して料金計算をするさいに使用する。
【図面の簡単な説明】
【０００８】
【図１】本考案の２画面型３本足電卓の実施例を示す正面図である。
【図２】本考案の裏側の図である。
【符号の説明】
【０００９】１．電卓本体
２．反対画面のＯＦＦスイッチ
３．２つの液晶画面
４．３本の足ゴム
５．目隠しプレート
【図１】
0003119822.tif 000003
【図２】
0003119822.tif 000004
【手続補正書】
【提出日】平成17年9月6日(2005.9.6)
【手続補正１】
【補正対象書類名】実用新案登録請求の範囲
【補正対象項目名】全文
【補正方法】変更
【補正の内容】
【実用新案登録請求の範囲】
【請求項１】
普通の電卓に液晶画面を対面に２つ装備して、対面した相手に、計算過程と数字が見えるように考案した、２画面型３本足電卓。
【請求項２】
対面した相手に、数字を見せたくない場合は、２画面側のＯＦＦスイッチや、目隠しプレートで見えなくすることを考案した、２画面型３本足電卓。
【請求項３】
歪んだ机に置いた時でも、がたがたせず、安定するように足ゴムは３本にすることを特徴とした、２画面型３本足電卓。
【手続補正書】
【提出日】平成17年11月18日(2005.11.18)
【手続補正１】
【補正対象書類名】実用新案登録請求の範囲
【補正対象項目名】全文
【補正方法】変更
【補正の内容】
【実用新案登録請求の範囲】
【請求項１】
電卓に液晶画面を対面に２つ装備して、対面した相手に、計算過程と数字が見えるように考案した、２画面型３本足電卓。
【請求項２】
対面した相手に、数字を見せたくない場合は、２画面側のＯＦＦスイッチや、目隠しプレートで見えなくすることを特徴とする、請求項１記載の２画面型３本足電卓の考案。
【請求項３】
歪んだ机に置いた時でも、がたがたせず、安定するように足ゴムは３本にすることを特徴とする、請求項１記載の２画面型３本足電卓の考案。
(57)【要約】      （修正有）【課題】シフトノブやサイドブレーキに布が被らないようにし、操作性や安全性を向上させる。【解決手段】中央部分に切れ込みを入れることにより、運転席と助手席の間にあるシフトノブやサイドブレーキなどの操作の妨げにならないようにした。また、運転席側は、アクセルやブレーキ操作の妨げにならないよう、助手席側に比べ、丈を短くしている。【選択図】図１
0003119841.tif 000002
【実用新案登録請求の範囲】
【請求項１】
本考案は、主に自動車の運転席と助手席の乗員が、防寒用にひざの上に掛けるための新しい形のひざ掛けである。自動車での使用を主目的としているため、運転席と助手席の間にある、シフトノブやサイドブレーキなどの操作の妨げにならないよう、中央部分に切れ込みを入れているのが特徴である。また、運転席側は、アクセルやブレーキ操作の妨げにならないよう、助手席側に比べ、丈が短くなっている。
【考案の詳細な説明】
【技術分野】
【０００１】本考案は、車の運転を妨げずに、保温性を確保するためのひざ掛けに関する。
【背景技術】
【０００２】従来は、車専用のひざ掛けという概念はなく、一般的な正方形もしくは長方形のひざ掛けを転用していた。
【考案の開示】
【考案が解決しようとする課題】
【０００３】従来の正方形や長方形のひざ掛けを、運転席から助手席にまたがって広げた場合、シフトノブやサイドブレーキなどが隠れ、操作に支障をきたした。
【課題を解決するための手段】
【０００４】中央部分に切れ込みを入れることにより、運転席と助手席の間にあるシフトノブやサイドブレーキなどの操作の妨げにならないようにした。また、運転席側は、アクセルやブレーキ操作の妨げにならないよう、助手席側に比べ、丈を短くしている。
【考案の効果】
【０００５】中央に切れ込みを入れたために、シフトノブやサイドブレーキに布が被らない状態になり、操作性や安全性の向上につながる。
【考案を実施するための最良の形態】
【実施例】
【０００６】図２は本考案を上から見た図である。切れ込み部分を中央に持ってくることで、シフトノブやサイドブレーキが露出した状態になる。また、この図では右が運転席用になっており、足先が少し出るように丈を短くしている。リバーシブルで使用すれば、左ハンドル車にも使用できる。
【図面の簡単な説明】
【０００７】
【図１】本考案を上から見た図
【図２】本考案の使用状態を上から見た図
【図１】
0003119841.tif 000003
【図２】
0003119841.tif 000004
【手続補正書】
【提出日】平成17年11月28日(2005.11.28)
【手続補正１】
【補正対象書類名】実用新案登録請求の範囲
【補正対象項目名】全文
【補正方法】変更
【補正の内容】
【実用新案登録請求の範囲】
【請求項１】
本考案は、自動車の運転席と助手席の乗員が、防寒用にひざの上に掛けるためのもので、運転席と助手席の間にあるシフトノブやサイドブレーキなどの操作の妨げにならないよう、中央部分に切れ込みを入れているのと、運転席側はアクセルやブレーキ操作の妨げにならないよう、助手席側に比べ丈が短くなっているを特徴とするひざ掛け。
(57)【要約】      （修正有）【課題】病気等に依る手の握力低下又はマヒ状態をリハビリ運動の補助、又は握力の促進を計る為の磁気入り健康器具の提供。【解決手段】軟質弾性体１の中心部分に、磁気体２を配した磁気入り健康器具。【選択図】図１
0003119848.tif 000002
【実用新案登録請求の範囲】
【請求項１】
軟質弾性体１の中心部に磁気体２を配した構造を特徴とした磁気入り健康器具。
【考案の詳細な説明】
【考案の属する分野】
【００１】    本考案は、握力向上、脳の神経運動の発達向上、リハビリテーションに効果を見い出すべく考案されたものである。
〔従来の技術〕
【００２】    従来は古来から行われて来た、クルミの実や、球状物を手の平に持ち、握りをくり返す程度であった。
〔本考案が解決しようとする課題〕
【００３】    上記の如く手の平の握りのくり返し運動は脳の活性化。又はマヒ状態のリハビリテーションの運動に成る。
〔課題を解決しようとする手段〕
【００４】    上記の運動を気楽に行える様に軟質弾性体の球状形とし、更に中心部分に磁気体を配した事に依り、血行を良くし更に神経系の活性化を促進を計る事を得る事である。
〔本考案の形態〕
【００５】    以下実施の形態を説明する。
本考案は病気等で手の握力低下、開閉運動に不自由な方々を対象に考案されたもので、軟質弾性体（１）の中心部分に磁気体（２）を配した構造から成り、該球体を手の平に持ち、握力を加える事をくり返すことに依り、次第に能力を高め、更に磁力をもって血行を促進させ、マヒした神経を自助能力と共に改善させる事を目的とした磁気入り健康器具を得る事である。
【図面の簡単な説明】図１は側面図で一部破断してある。
図２は図１のＡ−Ａ断面図である。
【符号の説明】
１．−−−−−−軟質弾性体
２．−−−−−−磁気体
３．−−−−−−磁力線
【図１】
0003119848.tif 000003
【図２】
0003119848.tif 000004
(57)【要約】      （修正有）【課題】自転車の斜め前方及び後方に位置する運転者に対して、光を反射し注意を喚起する。【解決手段】四方に反射する構造をした反射面（１）をもつ板の両端に、リムに貼り付けるように固定するため、スポーク（３）の根元をはさむ取り付け部（２）を設ける。以上の構成よりなる自転車リム用反射板を提供する。【選択図】図１
0003119845.tif 000002
【実用新案登録請求の範囲】
【請求項１】
四方に反射する構造をした反射面（１）をもつ板の両端に、自転車のリムに貼り付けるように固定するための、スポーク（３）の根元をはさむ取り付け部（２）をもつ自転車リム用反射板。
【考案の詳細な説明】
【技術分野】
【０００１】  この考案は、夜間、自転車走行時の安全をはかるため、自転車の車輪のリムに反射板を設けた安全器具に関するものである。
【背景技術】
【０００２】  従来より自転車の車輪にとりつけられる反射板は、スポークにとりつけられ、自転車の側面からの光に対して反射し、注意を喚起するものである。
【考案の開示】
【考案が解決しようとする課題】
【０００３】  従来の品は、自転車の側面からには効果があるが、前方や後方からに対しては反射面が進行方向と平行であるため効果がない。
本考案は、これらの欠点を解決するために考案されたものである。
【課題を解決するための手段】
【０００４】  四方に反射する反射面（１）をもつ板の両端に、自転車のリム（４）に貼り付けるように固定するため、スポーク（３）の根元をはさむ取り付け部（２）を設ける。
以上の構成からなる自転車リム用反射板。
【考案の効果】
【０００５】  本考案を使用することで、自転車の斜め前方及び後方に位置する運転者に対して、光を反射し注意を喚起することができる。従って、交通上の安全が向上する。
【考案を実施するための最良の形態】
【０００６】  本考案を使用する時は、車輪のリムに貼り付けるように取り付ける。
車輪の回転につれて、自転車の斜め後方及び前方の運転者等に光を反射し、注意を喚起することができる。
【実施例】
【０００７】  以下、本考案の実施例を説明する。
四方に反射する構造をした反射面（１）をもつ板の両端に、自転車のリム（４）に貼り付けるように固定するための、スポークをはさむ取り付け部（２）に溝を設ける。
また、反射面を外側に湾曲することで、より広範に光を反射することができる。
本考案は以上のような構造で、これを使用する時は自転車の車輪のリムに貼り付けるように設置し、両端の溝がスポーク（３）の根元をはさむように取り付ける。
車輪が回転することで、自転車の前方あるいは後方から来る自動車等のヘッドライトが反射板に当たり、光を反射することで運転者に注意を喚起することができる。
また最近の自転車の多くは、前輪の横にライトが設置されている。そのため、前輪に反射板を取り付けることで、夜間にライトを灯して走行すれば、自転車のライトの光が反射板に当たり、斜め後方の運転者等により注意を喚起することができる。
【図面の簡単な説明】
【０００８】
【図１】    本考案の正面図
【図２】    本考案の使用状態を示す部分的な斜視図
【図３】    本考案の使用状態を示す斜視図
【符号の説明】
【０００９】１  反射面
２  取り付け部
３  スポーク
４  リム
【図１】
0003119845.tif 000003
【図２】
0003119845.tif 000004
【図３】
0003119845.tif 000005
(57)【要約】      （修正有）【課題】農作業における雑草取りは大変な作業であり、特に無農薬栽培農業では弧の面に労力を費やしている。雑草は根こそぎ抜き取らなければ再び芽を出してくるものが多いが、従来の農具では、楽な姿勢で雑草を根こそぎ抜き取るという点に於いてまだ不充分である。雑草取りが、軽い農具を使って、しかも立った姿勢で根こそぎ抜き取る事ができ、更には同一農具で抜いた雑草をかき集める事が出来て、大きく労力の軽減につながる。【解決手段】従来の三角鍬は、耕したり雑草をかき切ったりする事は容易であるので、この機能に加えて、草抜き作業のできる構造と、かき集める作業のできる構造を備えて、多目的に対応できる農具の開発をした。【選択図】図１
0003119843.tif 000002
【実用新案登録請求の範囲】
【請求項１】
三角鍬の先端部にＶ字型の切り込みを付けたもの。
【請求項２】
三角鍬の峰の部分に熊手上の爪を付けたもの。
【考案の詳細な説明】
【技術の分野】
【０００１】  本考案は、草抜き部分と、抜いた草をかき集める熊手の付いた三角鍬に関するものである。
【背景技術】
【０００２】  従来の三角鍬は、耕すことと草の根をかき切ることは容易であるが、大きく育った草を根こそぎ抜き取ることや、抜いた草をかき集める作業にはには不充分なところがある。根の残った草は再び芽を出してくるものが多いので根こそぎ抜き取ることが求められる。
【考案の開示】
【考案が解決しようとする課題】
【０００３】  無農薬栽培農業が注目される今日、除草は大変な作業である。腰を曲げることなく立ったままの姿勢で草を根こそぎ抜き取ることができて、更には同じ道具で草についた土を落としながらかき集めることができれば作業が大変楽になる。このことから、従来の三角鍬の機能である、耕し機能、草かき機能に加えて、草抜き機能と、かき集める機能を複合的に備え付けた農具により前述の欠点を解決しょうとするものである。
【課題を解決するための手段】
【０００４】  本考案は、草抜きを目的とする構造部分として、三角鍬の先端部に、刃先と逆方向にＶ字型の切れ込みを作り、切れ込み部には刃を付けないようにして、このＶ字型部分で草抜き作業が容易にできるようにした。また、抜き取った草をかき集めるために、三角鍬の峰側に、先端部が手元方向に曲った小型の熊手を付けた。熊手はかき集めるときに隙間から草の根に付いている土を落としてくれるので、これらの機能が総合して課題を解決している。
【考案の効果】
【０００５】  上述の様に、本考案の草抜き部と熊手付き三角鍬は、単一道具により多目的農作業が可能であり、畑作などに大変便利な農具として役立つ。更には、これらの仕事が、立った姿勢で行えるため、肉体疲労の軽減にもつながる。
【考案を実施するための最良の形態】
【０００６】  農作業では、刃先のＶ字部分を使い雑草を株ごと抜き取る、次に熊手部分を使って抜き取った雑草をかき集める。そして耕したり、畝作りの必要があれば鍬として使い、かき削る必要があれば、従来通り側面の刃を使う。まさに万能鍬として活用できる。
【実施例】
【０００７】  以下、添付図面に従って実施例を説明する。４は鋼材を使った三角鍬であり、薄い材料でも強度が保てるように縦方向に中央から内側方向に弱い角度を付けてある。また、両側には刃を付けてかき削り作業に適するようにしてある。１のＶ字カット部には刃は付けず、この部分を草の根本部分に打ち込んで草抜き作業をする時に刈り取ってしまわない様にしてある。２は鋼材の丸棒を３の部分に溶接して先端近くを手前方向に曲げた熊手であり、抜いた草をかき集める。【０００８】  ５は鋼材を使い、作業中の衝撃を緩和するための曲がりを施し、８の柄に取り付けている。６は金属製の口金であり、７、９はボルトにて鍬と柄を強固に固定している。【０００９】  本考案の一実施例は上述ごとき構成からなるものであるが、軽量化を図ることにより一層労力の軽減へつながる。
【図面の簡単な説明】
【００１０】
【図１】本考案を一部断面して手元側から見た正面図である。
【図２】本考案の長柄の部分を一部省略した側面図である。
【図３】図１中のＡ−Ａ断面図である。
【符号の説明】
【００１１】  １  Ｖ字型草抜き部
２  熊手部
３  溶接部
４  三角鍬側面刃部
５  柄への取り付け部分
６  口金
７  ボルト
８  長柄
９  ボルト
【図１】
0003119843.tif 000003
【図２】
0003119843.tif 000004
【図３】
0003119843.tif 000005
【手続補正書】
【提出日】平成17年12月1日(2005.12.1)
【手続補正１】
【補正対象書類名】実用新案登録請求の範囲
【補正対象項目名】全文
【補正方法】変更
【補正の内容】
【実用新案登録請求の範囲】
【請求項１】
三角鍬の先端部にＶ字型の切り込みを付けるとともに、前記三角鍬の峰の部分に熊手状の爪を付けることを特徴とする三角鍬。
(57)【要約】      （修正有）【課題】室内装飾用の額にプリントした不織布と重ね合わせて入れた自然循環作用のある多孔質の粒状の物質シートが持っている特性である遠赤外線効果で臭いを分解し、マイナスイオン効果で消臭し、同時に湿気も吸収することにより快適な室内環境をたえず維持する効果がある自然循環作用消臭額を提供する。【解決手段】プリントした不織布１と額の裏板の間に自然循環作用のある多孔質の粒状の物質シート２を挟み額に入れる。自然循環作用のある多孔質の粒状の物質シートは、幾つかの室に区分され、片寄らず、常に万遍なく多孔質の粒状の物質があるようにする。【選択図】図１
0003119853.tif 000002
【実用新案登録請求の範囲】
【請求項１】
不織布にプリントし、その不織布が通気性をもって裏側に多孔質の粒状の物を組み合わせて木製及び樹油性の枠に組み入れ、多孔質状の粒状の特性である自然循環作用を活かしたことを特徴とする消臭額。
【考案の詳細な説明】
【技術分野】
【０００１】この考案は、室内の装飾に使用する額に自然循環作用のある多孔質の粒状の物質と、プリントした不織布を重ね合わせた形状に関する。
【背景技術】
【０００２】従来、自然循環作用のある多孔質の粒状の物質をシートにし、室内装飾用の額の中に入れた物はなかった。
【考案の開示】
【考案が解決しようとする課題】
【０００３】室内にある臭いを消臭剤で消すのではなく、自然循環作用のある多孔質の粒状の物質が持っている特性である遠赤外線効果で臭いを分解し、マイナスイオン効果で消臭をして同時に湿気も吸収するものである。
【課題を解決するための手段】
【０００４】本考案は、自然循環作用のある多孔質の粒状の物質を、プリントした不織布と重ね合わせていれた額に関する。
【考案の効果】
【０００５】自然循環作用のある多孔質の粒状の物質による吸着効果により、湿気を吸収し、遠赤外線効果で臭いを分解し、マイナスイオン効果で消臭をして快適な室内空間を維持するものである。
【考案を実施するための最良の形態】
【０００６】プリントした不織布と自然循環作用のある多孔質の粒状の物質をシート状にした物を、重ね合わせて額の中にいれるものである。
自然循環作用のある多孔質の粒状の物質入シートは幾つかの室に区分され、常に万遍なく自然循環作用のある多孔質の粒状の物質があるようにする。
【図面の簡単な説明】
【０００７】
【図１】展開斜視図である。
【図２】正面図である。
【符号の説明】
【０００８】１プリントした不織布
２自然循環作用のある多孔質の粒状の物質入シート
３額外枠
４額裏板
【図１】
0003119853.tif 000003
【図２】
0003119853.tif 000004
(57)【要約】      （修正有）【課題】取手付きの蓋を容器の側面に結合可能とすることによって蓋と容器の取手とを兼用させ、容器を持ちやすくすること。【解決手段】蓋と容器の取手の両方の機能を持たせた蓋を、容器の側面にねじ結合またはスライド溝等で装着できるようにすることによって、容器の内容物を保存する機能のみしか持たない蓋に、容器から離脱させた後にも容器の取手として容器を持ちやすくするという機能を与えた。【選択図】図６
0003119854.tif 000002
【実用新案登録請求の範囲】
【請求項１】
取手付きの蓋が容器に取り付けられており、なおかつ前記取手付きの蓋を容器の側面に固着することにより、蓋に取り付けた取手が容器の取手ともなるようにしたことを特徴とする容器。
【請求項２】
取手付きの蓋が、容器の側面にネジ式、はめ込み式、粘着式の連結手段により取り付けられるようにしてなる請求項１記載の容器。
【請求項３】
取手付きの蓋が、取手を蓋の面に対して起伏自在に構成してなる請求項１または２記載の容器。
【考案の詳細な説明】
【技術分野】
【０００１】
本考案は蓋と容器に関するものであり、取手付きの蓋を側面に結合することによって、離脱させた後の蓋に容器の取手としての機能を与え、容器を持ちやすくしたものである。
【背景技術】
【０００２】
従来から使われている飲料などの容器の蓋はその内容物の保存のみを目的として機能している。
【特許文献１】特にありません。
【考案の開示】
【考案が解決しようとする課題】
【０００３】
上述のように、従来から使われている飲料などの容器の蓋は蓋としての機能のみしか果たしておらず、容器から離脱させた後は蓋を再度装着するまではその間、機能を果たしていないうえ、離脱させた後の蓋は容器のどの場所にも収納するところがない。
【課題を解決するための手段】
【０００４】
この課題を解決するため、この考案の取手付きの蓋が容器の取手となるようにした容器は、蓋と容器の取手の両方の機能を持たせた蓋を容器の側面に結合できるようにすることによって、保存する機能のみしか持たない蓋に、容器から離脱させた後にも容器の取手としての役割を持たせ、容器を持ちやすくするという機能を与えたものである。
【０００５】
この考案の取手付きの蓋が容器の取手となるようにした容器は、前記取手付きの蓋が、容器の側面にネジ式、はめ込み式、粘着式の連結手段により取り付けられるようにしたことをも特徴とするものである。
【０００６】
この考案の取手付きの蓋が容器の取手となるようにした容器は、取手付きの蓋が、取手を蓋の面に対して起伏自在に構成したことをも特徴とするものである。
【考案の効果】
【０００７】
本考案により、飲料などに使われている容器の蓋に取手を付加し、容器から着脱した後にも取手付きの蓋を容器の側面と結合させることにより取手としての機能を与え、容器を持ちやすくできる上、蓋と容器が一体化するため、着脱した後の蓋が邪魔にならない。
【考案を実施するための最良の形態】
【０００８】
図１は容器に着脱可能な取手付き蓋の側面図、図２は取手付き蓋を取手として装着できるように側面に結合加工をした容器の側面図、図３は図２を水平に９０度回転させた状態の側面図、図４はスライド式の結合手段を加えた蓋の側面図、図５はその蓋をスライド式に結合できるように加工した容器の側面図、図６はスライド式の結合手段を加えた蓋を装着した容器の側面図である。
【０００９】
図示したように、この考案の取手付きの蓋が容器の取手となるようにした容器は、蓋に取手を一体的に取り付けたことを特徴とする。
図１はこの考案の取手付きの蓋が容器の取手となるようにした容器の１実施例を示し、容器に着脱可能な取手付き蓋の側面図である。同図に示すように蓋１の上部に取手３を取り付けている。
前記取手３は、プラスチックヒンジ等の手段で起伏自在に蓋１に取り付けることにより、取手３を使わない時には邪魔にならないようにすることができる。
【００１０】
図２は図１に示す取手付き蓋を容器の取手として装着できるように、側面に結合手段を施した容器の側面図であり、図３は図２を水平に９０度回転させた状態の側面図である。
図に示したように、容器６の側面に取手付きの蓋１との結合手段を施すことにより、その蓋１を装着できる。前記結合手段は、この実施例では離脱した後の蓋１と結合ねじ２により結合をするものである。
【００１１】
上記結合ネジ２に取手付きの蓋１をネジ付けるためには、容器６の蓋１を装着する面は平面であることが望ましい。もちろん、容器６を例えば半円形断面としたり、円形断面の容器６に平面状の取付部を形成することにより、上記平面を形成することができる。
【００１２】
図４はこの考案の取手付きの蓋が容器の取手となるようにした容器の他の実施例を示し、スライド式の結合手段を付加した蓋の側面図である。５は一端を膨らませた突条からなるはめ込み部で、このようなスライド式の結合手段を付加することによって取手付きの蓋１を容易に容器６の側面に装着することができる。
【００１３】
図５はその蓋をスライド式に結合できるように加工した容器の側面図である。図において４は下端を開放したスライド溝で、前記はめ込み部５をこのスライド溝４の下端からスライド式にはめ込むことにより、前記取手付きの蓋１を容易に容器６の側面に装着することができる。
【００１４】
図６は取手付きの蓋１を容器６の側面に装着した容器の側面図である。
【産業上の利用可能性】
【００１５】
この考案の取手付きの蓋が容器の取手となるようにした容器は、家庭内や事業所内で使用する各種のカップ類としてのみならず、旅行用や携帯用のカップ類として、また蓋を取り付けるタイプの容器の取手となる取手付きの蓋を備えた各種容器に適用することが可能である。
【図面の簡単な説明】
【００１６】
【図１】容器に着脱可能な取手付き蓋の側面図である。
【図２】取手付き蓋を取手として装着できるように側面に結合加工をした容器の側面図である。
【図３】図２を水平に９０度回転させた状態の側面図である。
【図４】スライド式の結合手段を加えた蓋の側面図である。
【図５】その蓋をスライド式に結合できるように加工した容器の側面図である。
【図６】スライド式の結合手段を加えた蓋を装着した容器の側面図である。
【符号の説明】
【００１７】
１  蓋
２  結合用ねじ
３  取手
４  スライド溝
５  はめ込み部
６  容器
【図１】
0003119854.tif 000003
【図２】
0003119854.tif 000004
【図３】
0003119854.tif 000005
【図４】
0003119854.tif 000006
【図５】
0003119854.tif 000007
【図６】
0003119854.tif 000008